(57)【要約】【課題】  内燃機関のアイドル時における高圧燃料ポンプの作動音を消滅させ、高圧燃料を用いた筒内噴射用インジェクタから噴射される燃料の圧力を速やかに上昇させる。【解決手段】  エンジンＥＣＵは、エンジン回転数ＮＥおよび車速Ｖを検知するステップ（Ｓ１１０，Ｓ１２０）と、エンジン回転数ＮＥおよび車速Ｖが両方とも制御開始しきい値以下であると（Ｓ１３０にてＹＥＳ）アイドル状態であると判断して、ＤＩ比率ｒが制御開始しきい値以上であると（Ｓ１５０にてＹＥＳ）、高圧燃料ポンプの停止指令信号を出力するステップ（Ｓ１６０）と、高圧燃料ポンプが停止すると（Ｓ１７０にてＹＥＳ）、通常のフィード圧よりも上昇するように、プレッシャーレギュレータに制御信号を出力するステップ（Ｓ１８０）とを含む、プログラムを実行する。【選択図】        図３
2006329154.tif 000002
【特許請求の範囲】
【請求項１】
燃料タンクから燃料噴射手段に燃料を供給する低圧ポンプと、前記低圧ポンプと前記燃料噴射手段との間に設けられ、供給された燃料の圧力を上昇させる高圧ポンプとを含む内燃機関の燃料系統の制御装置であって、
前記内燃機関の運転状態を検知するための検知手段と、
前記低圧ポンプおよび前記高圧ポンプを制御するための制御手段とを含み、
前記制御手段は、前記内燃機関が予め定められた運転状態であることが検知されると、前記高圧ポンプによる燃料の圧力の上昇を停止させるとともに、前記低圧ポンプから吐出される燃料の圧力を上昇させるように、前記高圧ポンプおよび前記低圧ポンプを制御するための手段を含む、内燃機関の燃料系統の制御装置。
【請求項２】
前記制御手段は、前記内燃機関がアイドル運転状態であることが検知されると、前記高圧ポンプによる燃料の圧力の上昇を停止させるとともに、前記低圧ポンプから吐出される燃料の圧力を上昇させるように、前記高圧ポンプおよび前記低圧ポンプを制御するための手段を含む、請求項１に記載の内燃機関の燃料系統の制御装置。
【請求項３】
前記低圧ポンプは、吐出圧を制御可能なポンプであって、
前記制御手段は、前記低圧ポンプの吐出圧を上昇させることにより、前記低圧ポンプから吐出される燃料の圧力を上昇させるための手段を含む、請求項１または２に記載の内燃機関の燃料系統の制御装置。
【請求項４】
前記低圧ポンプは、吐出量を制御可能なポンプであって、
前記制御手段は、前記低圧ポンプの吐出量を上昇させることにより、前記低圧ポンプから吐出される燃料の圧力を上昇させるための手段を含む、請求項１または２に記載の内燃機関の燃料系統の制御装置。
【請求項５】
前記低圧ポンプは、プレッシャーレギュレータを備えたポンプであって、
前記制御手段は、前記プレッシャーレギュレータの設定圧を変更することにより、前記低圧ポンプから吐出される燃料の圧力を上昇させるための手段を含む、請求項１または２に記載の内燃機関の燃料系統の制御装置。
【請求項６】
前記燃料噴射手段は、筒内に燃料を噴射するための第１の燃料噴射手段であって、
前記内燃機関は、吸気通路内に燃料を噴射するための第２の燃料噴射手段をさらに含む、請求項１〜５のいずれかに記載の内燃機関の燃料系統の制御装置。
【請求項７】
前記第１の燃料噴射手段は、筒内噴射用インジェクタであって、
前記第２の燃料噴射手段は、吸気通路用インジェクタである、請求項６に記載の内燃機関の燃料系統の制御装置。
【発明の詳細な説明】
【技術分野】
【０００１】
本発明は、筒内に向けて高圧で燃料を噴射する燃料噴射手段（筒内噴射用インジェクタ）を備えた内燃機関またはこの燃料噴射手段に加えて吸気通路または吸気ポート内に向けて燃料を噴射する燃料噴射手段（吸気通路噴射用インジェクタ）とを備えた内燃機関の燃料系統の制御装置に関し、特に、内燃機関のアイドル運転時において燃料系統を制御する技術に関する。
【背景技術】
【０００２】
ガソリンエンジンの燃焼室内に燃料を噴射するための第１の燃料噴射弁（筒内噴射用インジェクタ）と、吸気通路内に燃料を噴射するための第２の燃料噴射弁（吸気通路噴射用インジェクタ）とを備え、エンジンの回転数や内燃機関の負荷に応じて、筒内噴射用インジェクタと吸気通路噴射用インジェクタとで燃料を噴き分けるエンジンが公知である。また、ガソリンエンジンの燃焼室内に燃料を噴射するための燃料噴射弁（筒内噴射用インジェクタ）のみを備える直墳エンジンも公知である。筒内噴射用インジェクタを含む高圧燃料系統においては、高圧燃料ポンプで燃圧が高められた燃料がデリバリーパイプを介して筒内噴射用インジェクタに供給され、筒内噴射用インジェクタは、内燃機関の各気筒の燃焼室内に高圧燃料を噴射する。
【０００３】
また、コモンレール式燃料噴射系統を有するディーゼルエンジンも公知である。このコモンレール式燃料噴射系統においては、高圧燃料ポンプで燃圧が高められた燃料をコモンレールに蓄えておき、電磁弁の開閉によりコモンレールからディーゼルエンジンの各気筒の燃焼室内に高圧燃料を噴射する。
【０００４】
このような高圧燃料を発生させるために、内燃機関のクランクシャフトに連結されたドライブシャフトに設けられたカムによりシリンダを駆動する高圧燃料ポンプが用いられる。高圧燃料ポンプは、カムの回転によりシリンダ内で往復移動するポンププランジャーと、シリンダとポンププランジャーとにより構成される加圧室とを備えている。この加圧室には、燃料タンクから燃料を送り出すフィードポンプと連通するポンプ供給パイプ、加圧室から燃料を流出させて燃料タンクに戻すリターンパイプおよび加圧室内の燃料を筒内噴射用インジェクタに向けて圧送する高圧デリバリパイプがそれぞれ接続されている。また、高圧燃料ポンプには、ポンプ供給パイプおよび高圧デリバリパイプと加圧室との間を開閉する電磁スピル弁が設けられている。
【０００５】
電磁スピル弁が開いた状態にあって、加圧室の容積が大きくなる方向にポンププランジャーが移動するとき、すなわち高圧燃料ポンプが吸入行程にあるとき、ポンプ供給パイプから加圧室内に燃料が吸入される。また、加圧室の容積が小さくなる方向にポンププランジャーが移動するとき、すなわち高圧燃料ポンプが圧送行程にあるときに電磁スピル弁を閉じると、ポンプ供給パイプおよびリターンパイプと加圧室との間が遮断され、加圧室内の燃料が高圧デリバリパイプを介して筒内噴射用インジェクタに圧送される。
【０００６】
このような高圧燃料ポンプにおいては、圧送行程中における電磁スピル弁の閉弁期間中のみ筒内噴射用インジェクタに向けて燃料が圧送されるため、電磁スピル弁の閉弁開始時期を制御することで（電磁スピル弁の閉弁期間を調整することで）燃料圧送量が調整されるようになる。すなわち、電磁スピル弁の閉弁開始時期を早めて閉弁期間を長くすることで燃料圧送量が多くなり、電磁スピル弁の閉弁開始時期を遅らせて閉弁期間を短くすることで燃料圧送量が少なくなる。
【０００７】
このように、フィードポンプから送り出された燃料を高圧燃料ポンプで加圧し、この加圧後の燃料を筒内噴射用インジェクタに向けて圧送することで、燃焼室に直接燃料を噴射供給する内燃機関にあっても、その燃料噴射を的確に行なうことができる。
【０００８】
この高圧燃料ポンプの圧送行程において、電磁スピル弁が閉じるときには、加圧室の容積が小さくなる課程にあるので、燃料が高圧デリバリパイプ側だけでなくリターンパイプ側にも流れようとする。この状態で、電磁スピル弁を閉じると、この閉弁動作に、上記のように流れようとする燃料による力が付勢され、電磁スピル弁が閉弁するときの衝撃力が大きくなる。そして、この衝撃の増大に伴い電磁スピル弁の作動音（閉弁の音）も大きくなり、こうした電磁スピル弁の作動音が電磁スピル弁の閉弁毎に連続的に発生するようになる。
【０００９】
内燃機関の通常運転時には混合気の燃焼音等の内燃機関の作動音が大きいため、このような電磁スピル弁の閉弁毎の連続的な作動音が不快感を感じるほど大きなものとはならない。しかしながら、内燃機関のアイドル運転時など内燃機関の作動音自体が小さくなるときには、電磁スピル弁の連続的な作動音が相対的に大きくなり、こうした作動音による不快感も無視できないものとなる。
【００１０】
特開２００１−４１０８８号公報（特許文献１）は、電磁スピル弁の閉弁毎に生じる連続的な作動音を低減することができる燃料ポンプの制御装置を開示する。この公報に開示された制御装置は、カムの回転によるシリンダとポンププランジャーとの相対移動に基づき加圧室の容積を変化させて加圧室に燃料を吸入するとともに同燃料を内燃機関の燃料噴射弁に向けて圧送する燃料ポンプと、加圧室から燃料を流出させるスピル通路と同加圧室との間を開閉するスピル弁とを備え、スピル弁を閉弁期間を制御することにより燃料ポンプから燃料噴射弁への燃料圧送量を調整する燃料ポンプの制御装置であって、内燃機関の運転状態に基づきスピル弁を制御することより、所定期間中における燃料ポンプの燃料圧送回数を調節して同燃料圧送一回当たりの燃料噴射弁の燃料噴射回数を変更するものであって、機関低負荷時には燃料圧送一回当たりの燃料噴射回数を低減する制御手段を備える。
【００１１】
この燃料ポンプの制御装置によると、電磁スピル弁の連続的な作動音が相対的に大きくなる機関低負荷時に、燃料圧送一回当たりの燃料噴射回数を低減するので、一回の燃料圧送量が少なくてすむ。そのため、電磁スピル弁の閉弁開始時期を一層上死点寄りの時期とすることができる。上死点に向かうほど、ポンププランジャーとシリンダとの相対移動量を示すカム速度は小さくなる。これにより、電磁スピル弁の閉弁時におけるカム速度を小さくして電磁スピル弁の閉じる音を一層小さくすることができる。このように、電磁スピル弁の閉弁する音を小さくすることで、電磁スピル弁の閉弁毎に生じる連続的な作動音が低減できる。
【特許文献１】特開２００１−４１０８８号公報
【発明の開示】
【発明が解決しようとする課題】
【００１２】
しかしながら、上記の公報に開示された制御装置によっても、機関低負荷時において高圧燃料ポンプが停止（すなわち、電磁スピル弁が開いたままの状態になる）することがないので、低減されるとはいうものの、依然として高圧燃料ポンプの電磁スピル弁が閉弁するときの作動音が発生する。一方、機関低負荷時において高圧燃料ポンプを停止させてしまうと、筒内噴射用インジェクタに燃料を供給するデリバリパイプの燃料の圧力が低下してしまい、機関負荷が上昇した場合に高圧燃料ポンプを作動させても（すなわち、電磁スピル弁の閉弁制御を開始させても）、直ちにデリバリパイプの燃料の圧力が上昇しないので、内燃機関の出力上昇のレスポンスが悪化する。
【００１３】
本発明は、上述の課題を解決するためになされたものであって、その目的は、内燃機関のアイドル時における高圧燃料ポンプの作動音を消滅させるとともに、その後に、内燃機関の負荷が上昇した場合であっても高圧燃料を用いた燃料噴射手段から噴射される燃料の圧力を速やかに上昇させることができる、内燃機関の燃料系統の制御装置を提供することである。
【課題を解決するための手段】
【００１４】
第１の発明に係る制御装置は、燃料タンクから燃料噴射手段に燃料を供給する低圧ポンプと、低圧ポンプと燃料噴射手段との間に設けられ、供給された燃料の圧力を上昇させる高圧ポンプとを含む内燃機関の燃料系統を制御する。この制御装置は、内燃機関の運転状態を検知するための検知手段と、低圧ポンプおよび高圧ポンプを制御するための制御手段とを含む。この制御手段は、内燃機関が予め定められた運転状態であることが検知されると、高圧ポンプによる燃料の圧力の上昇を停止させるとともに、低圧ポンプから吐出される燃料の圧力を上昇させるように、高圧ポンプおよび低圧ポンプを制御するための手段を含む。
【００１５】
第１の発明によると、内燃機関が特定の運転状態（たとえば、内燃機関のノイズが顕著になる運転状態）であると、機械的ノイズが大きな高圧ポンプを停止させて、燃料の圧力の上昇を停止させる。その一方、低圧ポンプから吐出される燃料の圧力を上昇させる。これにより、たとえば内燃機関の駆動力を用いて、燃料の圧力を上昇させる高圧ポンプの機械的なノイズが顕著になる所定の運転状態において、機械的ノイズの発生を抑制できる。さらに、低圧ポンプから吐出される燃料の圧力を、通常よりも高い圧力にまで上昇させる。これにより、フューエルタンクから燃料噴射手段までの配管が長い場合であっても、高圧ポンプを再始動させたときに、低圧ポンプから突出される燃料が通常の圧力に比べて高い圧力であるので、高圧ポンプの再始動時において、速やかに燃圧を上昇させて、燃料噴射手段から燃料を噴射することができる。その結果、内燃機関のノイズが顕著になる所定の運転状態における高圧燃料ポンプの作動音を消滅させるとともに、その後に、内燃機関の負荷が上昇した場合であっても高圧燃料を用いた燃料噴射手段から噴射される燃料の圧力を速やかに上昇させることができる、内燃機関の燃料系統の制御装置を提供することができる。
【００１６】
第２の発明に係る制御装置においては、第１の発明の構成に加えて、制御手段は、内燃機関がアイドル運転状態であることが検知されると、高圧ポンプによる燃料の圧力の上昇を停止させるとともに、低圧ポンプからの吐出される燃料の圧力を上昇させるように、高圧ポンプおよび低圧ポンプを制御するための手段を含む。
【００１７】
第２の発明によると、高圧ポンプのノイズが顕著になるアイドル運転時において、高圧ポンプによる燃料の圧力の上昇を停止させるので、ノイズの発生を抑制できる。また、低圧ポンプからの吐出される燃料の圧力を上昇させるので、高圧ポンプの再始動時に速やかに燃料の圧力を上昇させることができる。
【００１８】
第３の発明に係る制御装置においては、第１または２の発明の構成に加えて、低圧ポンプは、吐出圧を制御可能なポンプであって、制御手段は、低圧ポンプの吐出圧を上昇させることにより、低圧ポンプから吐出される燃料の圧力を上昇させるための手段を含む。
【００１９】
第３の発明によると、低圧ポンプの吐出圧を上昇させることにより、低圧ポンプから吐出される燃料の圧力を上昇させることができる。
【００２０】
第４の発明に係る制御装置においては、第１または２の発明の構成に加えて、低圧ポンプは、吐出量を制御可能なポンプであって、制御手段は、低圧ポンプの吐出量を上昇させることにより、低圧ポンプから吐出される燃料の圧力を上昇させるための手段を含む。
【００２１】
第４の発明によると、低圧ポンプの吐出量を上昇させることにより、低圧ポンプから吐出される燃料の圧力を上昇させることができる。
【００２２】
第５の発明に係る制御装置においては、第１または２の発明の構成に加えて、低圧ポンプは、プレッシャーレギュレータを備えたポンプであって、制御手段は、プレッシャーレギュレータの設定圧を変更することにより、低圧ポンプから吐出される燃料の圧力を上昇させるための手段を含む。
【００２３】
第５の発明によると、プレッシャーレギュレータの設定圧を変更することにより、低圧ポンプから吐出される燃料の圧力を上昇させることができる。
【００２４】
第６の発明に係る制御装置においては、第１〜５のいずれかの発明の構成に加えて、
燃料噴射手段は、筒内に燃料を噴射するための第１の燃料噴射手段であって、内燃機関は、吸気通路内に燃料を噴射するための第２の燃料噴射手段をさらに含む。
【００２５】
第６の発明によると、筒内に燃料を噴射するための第１の燃料噴射手段のみを有する内燃機関のみならず、筒内に燃料を噴射するための第１の燃料噴射手段および吸気通路内に燃料を噴射するための第２の燃料噴射手段を有する内燃機関において、内燃機関のアイドル時における高圧燃料ポンプの作動音を消滅させるとともに、その後に、内燃機関の負荷が上昇した場合であっても高圧燃料を用いた燃料噴射手段から噴射される燃料の圧力を速やかに上昇させることができる。
【００２６】
第７の発明に係る制御装置においては、第６の発明の構成に加えて、第１の燃料噴射手段は、筒内噴射用インジェクタであって、第２の燃料噴射手段は、吸気通路用インジェクタである。
【００２７】
第７の発明によると、第１の燃料噴射手段である筒内噴射用インジェクタと第２の燃料噴射手段である吸気通路噴射用インジェクタとを別個に設けて噴射燃料を分担する内燃機関において、内燃機関のアイドル時における高圧燃料ポンプの作動音を消滅させるとともに、その後に、内燃機関の負荷が上昇した場合であっても高圧燃料を用いた燃料噴射手段から噴射される燃料の圧力を速やかに上昇させることができる。
【発明を実施するための最良の形態】
【００２８】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２９】
図１に、本発明の実施の形態に係る制御装置であるエンジンＥＣＵ（Electronic Control Unit）で制御されるエンジンの燃料供給システム１０を示す。このエンジンは、Ｖ型８気筒のガソリンエンジンであって、各気筒の筒内に燃料を噴射する筒内噴射用インジェクタ１１０と、各気筒の吸気通路に燃料を噴射する吸気通路噴射用インジェクタ１２０とを有する。なお、本発明はこのようなエンジンに限定されて適用されるものではなく、他の形式のガソリンエンジン（Ｖ型６気筒、直列６気筒、直列４気筒等）や、コモンレール式ディーゼルエンジンであってもよい。さらに、高圧燃料ポンプは２台に限定されないで、１台以上であればよい。
【００３０】
図１に示すように、この燃料供給システム１０は、燃料タンクに設けられ、低圧（プレッシャーレギュレータ１０２の設定圧）の吐出圧で燃料を供給するフィードポンプ１００と、第１のカム２１０により駆動される第１の高圧燃料ポンプ２００と、第１のカム２１０とは吐出の位相が異なる第２のカム３１０により駆動される第２の高圧燃料ポンプ３００と、筒内噴射用インジェクタ１１０に高圧燃料を供給するための左右のバンク毎に設けられた高圧デリバリパイプ１１２と、高圧デリバリパイプ１１２に設けられた左右のバンク各４個ずつの筒内噴射用インジェクタ１１０と、吸気通路噴射用インジェクタ１２０に燃料を供給するための左右のバンク毎に設けられた低圧デリバリパイプ１２２と、低圧デリバリパイプ１２２に設けられた左右のバンク各４個ずつの吸気通路噴射用インジェクタ１２０とを含む。
【００３１】
燃料タンクのフィードポンプ１００の吐出口には、プレッシャーレギュレータ１０２が設けられている。このプレッシャーレギュレータ１０２は、エンジンＥＣＵに接続され、エンジンＥＣＵによりその設定圧を変更することができる。設定圧は、たとえば、３００ｋＰａ〜７００ｋＰａ程度である。フィードポンプ１００から吐出された燃料の圧力がプレッシャーレギュレータ１０２にて設定された圧力以上になると、超過した圧力に対応する燃料分だけがフューエルタンク内にリリーフ燃料として戻される。フューエルタンク内にプレッシャーレギュレータ１０２を設けてリリーフ燃料としているので、エンジンルームを通過して加熱された燃料が燃料タンクに戻ることがなくなるので、フューエルタンク内でのエバポレーションガスの発生を抑制している。なお、プレッシャーレギュレータ１０２は、このようにフューエルタンク内に設けられるのではなく、低圧デリバリパイプの末端に設けられるものでもよい。
【００３２】
燃料タンクのフィードポンプ１００の吐出口は、低圧供給パイプ４００に接続され、低圧供給パイプ４００は、第１の低圧デリバリ連通パイプ４１０とポンプ供給パイプ４２０とに分岐する。第１の低圧デリバリ連通パイプ４１０は、Ｖ型バンクの片方のバンクの低圧デリバリパイプ１２２との分岐点より下流側で、第２の低圧デリバリ連通パイプ４３０となり、もう片方のバンクの低圧デリバリパイプ１２２に接続されている。
【００３３】
ポンプ供給パイプ４２０は、第１の高圧燃料ポンプ２００および第２の高圧燃料ポンプ３００の入り口にそれぞれ接続される。第１の高圧燃料ポンプ２００の入り口の手前には、第１のパルセーションダンパー２２０が、第２の高圧燃料ポンプ３００の入り口の手前には、第２のパルセーションダンパー３２０が、それぞれ設けられ、燃料脈動の低減を図っている。
【００３４】
第１の高圧燃料ポンプ２００の吐出口は、第１の高圧デリバリ連通パイプ５００に接続され、第１の高圧デリバリ連通パイプ５００は、Ｖ型バンクの片方のバンクの高圧デリバリパイプ１１２に接続される。第２の高圧燃料ポンプ３００の吐出口は、第２の高圧デリバリ連通パイプ５１０に接続され、第２の高圧デリバリ連通パイプ５１０は、Ｖ型バンクのもう片方のバンクの高圧デリバリパイプ１１２に接続される。Ｖ型バンクの片方のバンクの高圧デリバリパイプ１１２ともう片方のバンクの高圧デリバリパイプ１１２とは、高圧連通パイプ５２０により接続される。
【００３５】
高圧デリバリパイプ１１２に設けられたリリーフバルブ１１４は、高圧デリバリリターンパイプ６１０を介して高圧燃料ポンプリターンパイプ６００に接続される。高圧燃料ポンプ２００および高圧燃料ポンプ３００のリターン口は、高圧燃料ポンプリターンパイプ６００に接続される。高圧燃料ポンプリターンパイプ６００は、リターンパイプ６２０およびリターンパイプ６３０に接続され、燃料タンクに接続される。
【００３６】
図２に、図１の第１の高圧燃料ポンプ２００付近の拡大図を示す。第２の高圧燃料ポンプ３００も同様であるがカムの位相が異なり吐出タイミングの位相をずらして脈動の発生を抑制している。また、第１の高圧燃料ポンプ２００と第２の高圧燃料ポンプ３００の特性は、同じでも異なってもよい。以下の説明では、第１の高圧燃料ポンプ２００の吐出能力および第２の高圧燃料ポンプ３００の吐出能力は、仕様上同じであるが、それぞれの個体差により、制御特性は異なる。
【００３７】
高圧燃料ポンプ２００は、カム２１０で駆動され上下に摺動するポンププランジャ-２
０６と、電磁スピル弁２０２とリーク機能付きチェックバルブ２０４とを主な構成部品としている。
【００３８】
カム２１０によりポンププランジャー２０６が下方向に移動しているときであって電磁スピル弁２０２が開いているときに燃料が導入され（吸い込まれ）、カム２１０によりポンププランジャー２０６が上方向に移動しているときに電磁スピル弁２０２を閉じるタイミングを変更して、高圧燃料ポンプ２００から吐出される燃料量を制御する。ポンププランジャー２０６が上方向に移動している加圧行程中における電磁スピル弁２０２を閉じる時期が早いほど多くの燃料が吐出され、遅いほど少ない燃料が吐出される。この最も多く吐出される場合の電磁スピル弁２０２の駆動デューティを１００％とし、この最も少なく吐出される場合の電磁スピル弁２０２の駆動デューティを０％としている。電磁スピル弁２０２の駆動デューティが０％の場合には、電磁スピル弁２０２は閉じることなく開いたままの状態になり、第１のカム２１０が回転している限り（エンジンが回転している限り）ポンププランジャー２０６は上下方向に摺動するが、電磁スピル弁２０２が閉じないので、燃料は加圧されない。
【００３９】
加圧された燃料は、リーク機能付きチェックバルブ２０４（設定圧６０ｋＰａ程度）を押し開けて第１の高圧デリバリ連通パイプ５００を介して高圧デリバリパイプ１１２へ圧送される。このとき、高圧デリバリパイプ１１２に設けられた燃圧センサにより燃圧がフィードバック制御される。また、前述の通り、Ｖ型の一方のバンクの高圧デリバリパイプ１１２と他方のバンクの高圧デリバリパイプ１１２とは、高圧連通パイプ５２０により連通している。
【００４０】
リーク機能付きチェックバルブ２０４は、通常のチェックバルブ２０４に細孔を設けたものであって、常時その細孔は開いている。このため、第１の高圧デリバリ連通パイプ５００内の燃料の圧力よりも第１の高圧燃料ポンプ２００（ポンププランジャー２０６）側の燃料の圧力が低くなると（たとえば電磁スピル弁２０２が開いたまま、エンジンが停止してカム２１０が停止）、この細孔を通って第１の高圧デリバリ連通パイプ５００内の高圧燃料が高圧燃料ポンプ２００側に戻ってきて高圧デリバリ連通パイプ５００および高圧デリバリパイプ１１２内の燃料の圧力が低下する。これにより、たとえば、エンジン停止時には高圧デリバリパイプ１１２内の燃料が高圧でなくなり、筒内噴射用インジェクタ１１０からの燃料漏れを回避できる。
【００４１】
エンジンＥＣＵは、最終燃料噴射量に基づき筒内噴射用インジェクタ１１０を駆動制御し、筒内噴射用インジェクタ１１０から噴射される燃料の量を制御する。こうした筒内噴射用インジェクタ１１０から噴射される燃料の量（燃料噴射量）は、高圧デリバリパイプ１１２内の燃料圧力（燃圧）と燃料噴射時間によって定まるため、燃料噴射量を適正にするためには燃圧を適正な値に維持する必要がある。従って、エンジンＥＣＵは、燃圧センサからの検出信号に基づき求められる燃圧がエンジン運転状態に応じて設定される目標燃圧に近づくよう、高圧燃料ポンプ２００の燃料吐出量をフィードバック制御して燃圧Ｐを適正値に維持する。なお、高圧燃料ポンプ２００の燃料吐出量は、後述するデューティ比ＤＴに基づき電磁スピル弁の閉弁期間（閉弁開始時期）を調整することによってフィードバック制御される。
【００４２】
ここで、高圧燃料ポンプ２００の燃料吐出量（電磁スピル弁２０２の閉弁開始時期）を制御するための制御量であるデューティ比ＤＴについて説明する。このデューティ比ＤＴは、０〜１００％という値の間で変化する値であって、電磁スピル弁２０２の閉弁期間に対応するカム２１０のカム角度に関係した値である。すなわち、このカム角度に関して、電磁スピル弁２０２の最大閉弁期間に対応したカム角度（最大カム角度）を「θ（0）」とし、同閉弁期間の目標値に対応するカム角度（目標カム角度）を「θ」とすると、デューティ比ＤＴは、最大カム角度θ（0）に対する目標カム角度θの割合を示すものということになる。従って、デューティ比ＤＴは、目標とする電磁スピル弁２０２の閉弁期間（閉弁開始時期）が最大閉弁期間に近づくほど１００％に近い値とされ、目標とする閉弁期間が「０」に近づくほど０％に近い値とされるようになる。
【００４３】
デューティ比ＤＴが１００％に近づくほど、デューティ比ＤＴに基づき調整される電磁スピル弁２０２の閉弁開始時期は早められ、電磁スピル弁２０２の閉弁期間は長くなる。その結果、高圧燃料ポンプ２００の燃料吐出量が増加して燃圧Ｐが上昇するようになる。また、デューティ比ＤＴが０％に近づくほど、デューティ比ＤＴに基づき調整される電磁スピル弁２０２の閉弁開始時期は遅らされ、電磁スピル弁２０２の閉弁期間は短くなる。その結果、高圧燃料ポンプ２００の燃料吐出量が減少して燃圧Ｐが低下するようになる。
【００４４】
図３を参照して、本実施の形態に係る制御装置であるエンジンＥＣＵで実行されるプログラムの制御構造について説明する。
【００４５】
ステップ（以下、ステップをＳと略す。）１００にて、エンジンＥＣＵは、このエンジンのアイドル運転時のフィード圧（プレッシャーレギュレータ１０２の設定圧に対応する）を算出する。
【００４６】
Ｓ１１０にて、エンジンＥＣＵは、エンジン回転数センサからの信号に基づいて、エンジン回転数ＮＥを検知する。Ｓ１２０にて、エンジンＥＣＵは、速度センサまたは変速機の出力軸回転数センサからの信号に基づいて、車速Ｖを検知する。
【００４７】
Ｓ１３０にて、エンジンＥＣＵは、エンジン回転数ＮＥが、予め定められた制御開始しきい値ＮＥ（０）以下であり、かつ、車速Ｖが、予め定められた制御開始しきい値Ｖ（０）以下であるか否かを判断する。この制御開始しきい値は、アイドル時に高圧燃料ポンプ２００，３００を停止させて、フィード圧を上昇させる制御を開始するか否かを判定するための、エンジン回転数および車速についてのしきい値である。エンジン回転数ＮＥが、予め定められた制御開始しきい値ＮＥ（０）以下であり、かつ、車速Ｖが、予め定められた制御開始しきい値Ｖ（０）以下であると（Ｓ１３０にてＹＥＳ）、処理はＳ１４０に移される。もしそうでないと（Ｓ１３０にてＮＯ）、処理はＳ１９０に移される。
【００４８】
Ｓ１４０にて、エンジンＥＣＵは、筒内噴射用インジェクタ１１０と吸気通路噴射用インジェクタ１２０との噴き分け率（直噴比率：ＤＩ比率）ｒを算出する。この噴き分け率は、後述するマップに基づいて算出される。
【００４９】
Ｓ１５０にて、エンジンＥＣＵは、ＤＩ比率ｒが、予め定められた制御開始しきい値ｒ（０）以上であるか否かを判断する。この制御開始しきい値は、アイドル時に高圧燃料ポンプ２００，３００を停止させて、フィード圧を上昇させる制御を開始するか否かを判定するための、ＤＩ比率についてのしきい値である。ＤＩ比率ｒが、予め定められた制御開始しきい値ｒ（０）以上であると（Ｓ１５０にてＹＥＳ）、処理はＳ１６０へ移される。もしそうでないと（Ｓ１５０にてＮＯ）、処理はＳ１９０へ移される。
【００５０】
Ｓ１６０にて、エンジンＥＣＵは、高圧燃料ポンプ２００，３００の停止指令信号を出力する。具体的には、電磁スピル弁のデューティ比ＤＴが０％である制御信号を出力する。
【００５１】
Ｓ１７０にて、エンジンＥＣＵは、高圧燃料ポンプ２００，３００が停止したか否かを判断する。この判断は、たとえば高圧デリバリパイプ１１２に設けられた燃圧センサからエンジンＥＣＵへ入力される信号に基づいて行なわれる。高圧燃料ポンプ２００，３００が停止すると（Ｓ１７０にてＹＥＳ）、処理はＳ１８０へ移される。もしそうでないと（Ｓ１７０にてＮＯ）、処理はＳ１９０へ移される。
【００５２】
Ｓ１８０にて、エンジンＥＣＵは、通常のフィード圧よりも上昇するように、プレッシャーレギュレータに制御信号を出力する。これにより、フィードポンプ１００から筒内噴射用インジェクタ１１０へ供給される燃料の圧力が上昇される。
【００５３】
Ｓ１９０にて、エンジンＥＣＵは、通常のフィード圧になるように、プレッシャーレギュレータに制御信号を出力する。
【００５４】
以上のような構造およびフローチャートに基づく、本実施の形態に係る制御装置であるエンジンＥＣＵにより制御される内燃機関の動作について説明する。
【００５５】
エンジン回転数ＮＥが検知され（Ｓ１１０）、車速Ｖが検知され（Ｓ１２０）、エンジン回転数が制御開始しきい値ＮＥ（０）以下であって、車速Ｖが制御開始しきい値Ｖ（０）以下であると（Ｓ１３０にてＹＥＳ）、後述する、筒内噴射用インジェクタ１１０と吸気通路噴射用インジェクタ１２０との噴き分けマップに基づいて、ＤＩ比率ｒが算出される（Ｓ１４０）。
【００５６】
ＤＩ比率ｒが制御開始しきい値ｒ（０）以上であると（Ｓ１５０にてＹＥＳ）、高圧燃料ポンプ２００，３００が停止される（Ｓ１６０）。高圧燃料ポンプ２００，３００が停止すると（Ｓ１７０にてＹＥＳ）、通常のアイドル運転時のフィード圧（Ｓ１００にて算出）よりも上昇するように、プレッシャーレギュレータの設定圧が変更される（Ｓ１８０）。
【００５７】
すなわち、エンジン回転数および車速が制御開始しきい値以下であって、ＤＩ比率が制御開始しきい値以上であると、高圧燃料ポンプを停止させて、その停止と同時に、フィードポンプ１００から供給される燃料の圧力を設定するプレッシャーレギュレータの設定圧を変更して、フィード圧を通常のアイドル運転時（通常のアイドル運転時とは、高圧燃料ポンプ２００，３００を動作させているアイドル運転時をいう）よりも上昇させる。
【００５８】
このようにすると、高圧燃料ポンプの停止により筒内噴射用インジェクタに供給される燃料の圧力が低下するので、筒内噴射用インジェクタ１１０から噴射された燃料噴霧の霧化状態が悪化することになるが（燃料粒径拡大、燃料拡散の悪化）、フィード燃圧を上昇させることにより、高圧燃料ポンプ２００，３００の作動音（電磁スピル弁に起因する音）を消滅させて、筒内噴射用インジェクタ１１０から噴射された燃料噴霧の改善を図ることができる。このような制御は、燃料供給量の少ないアイドル領域（低回転、低車速領域）においてのみ実行されるので、フィードポンプの大型化等の必要もない。
【００５９】
また、図１に示したように、筒内噴射用インジェクタ１１０と吸気通路噴射用インジェクタ１２０とを備えたエンジンにおいては、通常のエンジン（各気筒毎に、筒内噴射用インジェクタ１１０のみ、または、吸気通路噴射用インジェクタ１２０のみを有するエンジン）よりも多くのインジェクタを有する。このため、高圧デリバリパイプの燃料の圧力が高いまま維持されている場合には、油密不良により筒内噴射用インジェクタ１１０から燃料が漏れて、燃圧が低下してしまうことがある。しかしながら、本実施の形態に係る制御装置においては、高圧燃料ポンプを停止してしまい、通常のフィード圧よりも高い燃圧で筒内噴射用インジェクタ１１０から燃料を噴射するので、このような問題を回避できる。
【００６０】
さらに、図１に示したように、筒内噴射用インジェクタ１１０と吸気通路噴射用インジェクタ１２０とを備えたエンジンにおいては、通常のエンジン（各気筒毎に、筒内噴射用インジェクタ１１０のみ、または、吸気通路噴射用インジェクタ１２０のみを有するエンジン）よりも長い配管長（フューエルタンクからインジェクタまでの配管）になる。このため、高圧燃料ポンプを再始動させたときに、高圧デリバリパイプ内の燃料が通常のフィード圧のままであると、高圧デリバリパイプ内の燃料の圧力を筒内噴射用インジェクタ１１０に適した圧力に上昇させるまでの燃料充填に時間がかかる。しかしながら、本実施の形態に係る制御装置においては、高圧燃料ポンプを停止してしまっても、高圧デリバリパイプ内の燃料は、通常のフィード圧よりも高い燃圧であるので、高圧燃料ポンプの再始動時において、速やかに燃圧を上昇させて、筒内噴射用インジェクタ１１０から燃料を噴射することができる。
【００６１】
なお、フィード圧の上昇方法については、上述したようなプレッシャーレギュレータの設定圧を変更する方法に限定されない。フューエルポンプに容量可変型ポンプ（吐出圧可変）を用いて、燃料の圧力を上昇させるようにしてもよい。この場合、たとえば、ポンプを駆動させるモータの回転数を、フィード圧を検知する圧力センサからの信号に基づいて目標圧力になるように、フィードバック制御するようにすることもできる。さらに、吐出圧ではなく、吐出量を制御量としてフィードバック制御するようにしてもよい。
【００６２】
以上のようにして、本実施の形態に係る制御装置であるエンジンＥＣＵによると、アイドル運転時において、筒内噴射用インジェクタに高圧燃料を供給する高圧燃料ポンプの作動音の発生を回避するとともに、高圧燃料ポンプの再始動時において、速やかに燃圧を上昇せしめて、エンジンの出力を上昇させることができる。
【００６３】
なお、上述した実施の形態において実行される制御（アイドル時に高圧燃料ポンプ２００，３００を停止させて、フィード圧を上昇させる制御）を、フューエルカット中に実行するようにしてもよい。フューエルカットは、エンジンがアイドリング状態にある減速中にエンジン回転数が予め定められた範囲に入ることにより、燃料の供給を停止することである。具体的には、走行中にスロットルバルブが閉じられてエンジン回転数がフューエルカット回転数以上であると燃料の供給を停止する。また、エンジン回転数が低下してその範囲の下限を規定している復帰回転数に達すると燃料の供給を再開する。なお、この復帰回転数はエンジンストールを生じさせず、またエンジンの安定した回転を維持する回転数に設定されている。このようなフューエルカット制御中に、運転者によりアクセルペダルが踏まれると、フューエルカット制御は強制的に中断されて燃料がインジェクタから噴射されて、通常の運転状態に戻る。
【００６４】
このようなフューエルカット中に、上述した実施の形態において実行される制御に切替えると、運転者が機械的ノイズの変化、ドライバビリティの変化を感じにくいという効果を発現できる。
【００６５】
＜この制御装置が適用されるに適したエンジン（その１）＞
以下、本実施の形態に係る制御装置が適用されるに適したエンジン（その１）について説明する。
【００６６】
図４および図５を参照して、エンジンの運転状態に対応させた情報である、筒内噴射用インジェクタ１１０と吸気通路噴射用インジェクタ１２０との噴き分け比率（以下、ＤＩ比率（r）とも記載する。）を表わすマップについて説明する。これらのマップは、エンジンＥＣＵのＲＯＭに記憶される。図４は、エンジンの温間用マップであって、図５は、エンジンの冷間用マップである。
【００６７】
図４および図５に示すように、これらのマップは、エンジンの回転数を横軸にして、負荷率を縦軸にして、筒内噴射用インジェクタ１１０の分担比率がＤＩ比率ｒとして百分率で示されている。
【００６８】
図４および図５に示すように、エンジンの回転数と負荷率とに定まる運転領域ごとに、ＤＩ比率ｒが設定されている。「ＤＩ比率ｒ＝１００％」とは、筒内噴射用インジェクタ１１０からのみ燃料噴射が行なわれる領域であることを意味し、「ＤＩ比率ｒ＝０％」とは、吸気通路噴射用インジェクタ１２０からのみ燃料噴射が行なわれる領域であることを意味する。「ＤＩ比率ｒ≠０％」、「ＤＩ比率ｒ≠１００％」および「０％＜ＤＩ比率ｒ＜１００％」とは、筒内噴射用インジェクタ１１０と吸気通路噴射用インジェクタ１２０とで燃料噴射が分担して行なわれる領域であることを意味する。なお、概略的には、筒内噴射用インジェクタ１１０は、出力性能の上昇に寄与し、吸気通路噴射用インジェクタ１２０は、混合気の均一性に寄与する。このような特性の異なる２種類のインジェクタを、エンジンの回転数と負荷率とで使い分けることにより、エンジンが通常運転状態（たとえば、アイドル時の触媒暖気時が、通常運転状態以外の非通常運転状態の一例であるといえる）である場合には、均質燃焼のみが行なわれるようにしている。
【００６９】
さらに、これらの図４および図５に示すように、温間時のマップと冷間時のマップとに分けて、筒内噴射用インジェクタ１１０と吸気通路噴射用インジェクタ１２０のＤＩ分担率ｒを規定した。エンジンの温度が異なると、筒内噴射用インジェクタ１１０および吸気通路噴射用インジェクタ１２０の制御領域が異なるように設定されたマップを用いて、エンジンの温度を検知して、エンジンの温度が予め定められた温度しきい値以上であると図４の温間時のマップを選択して、そうではないと図５に示す冷間時のマップを選択する。それぞれ選択されたマップに基づいて、エンジンの回転数と負荷率とに基づいて、筒内噴射用インジェクタ１１０および／または吸気通路噴射用インジェクタ１２０を制御する。
【００７０】
図４および図５に設定されるエンジンの回転数と負荷率について説明する。図４のＮＥ（１）は２５００〜２７００ｒｐｍに設定され、ＫＬ（１）は３０〜５０％、ＫＬ（２）は６０〜９０％に設定されている。また、図５のＮＥ（３）は２９００〜３１００ｒｐｍに設定されている。すなわち、ＮＥ（１）＜ＮＥ（３）である。その他、図４のＮＥ（２）や、図５のＫＬ（３）、ＫＬ（４）も適宜設定されている。
【００７１】
図４および図５を比較すると、図４に示す温間用マップのＮＥ（１）よりも図５に示す冷間用マップのＮＥ（３）の方が高い。これは、エンジンの温度が低いほど、吸気通路噴射用インジェクタ１２０の制御領域が高いエンジン回転数の領域まで拡大されるということを示す。すなわち、エンジンが冷えている状態であるので、（たとえ、筒内噴射用インジェクタ１１０から燃料を噴射しなくても）筒内噴射用インジェクタ１１０の噴口にデポジットが堆積しにくい。このため、吸気通路噴射用インジェクタ１２０を使って燃料を噴射する領域を拡大するように設定され、均質性を向上させることができる。
【００７２】
図４および図５を比較すると、エンジンの回転数が、温間用マップにおいてはＮＥ（１）以上の領域において、冷間用マップにおいてはＮＥ（３）以上の領域において、「ＤＩ比率ｒ＝１００％」である。また、負荷率が、温間用マップにおいてはＫＬ（２）以上の領域において、冷間用マップにおいてはＫＬ（４）以上の領域において、「ＤＩ比率ｒ＝１００％」である。これは、予め定められた高エンジン回転数領域では筒内噴射用インジェクタ１１０のみが使用されること、予め定められた高エンジン負荷領域では筒内噴射用インジェクタ１１０のみが使用されるということを示す。すなわち、高回転領域や高負荷領域においては、筒内噴射用インジェクタ１１０のみで燃料を噴射しても、エンジンの回転数や負荷が高く吸気量が多いので筒内噴射用インジェクタ１１０のみでも混合気を均質化しやすいためである。このようにすると、筒内噴射用インジェクタ１１０から噴射された燃料は燃焼室内で気化潜熱を伴い（燃焼室から熱を奪い）気化される。これにより、圧縮端での混合気の温度が下がる。これにより対ノッキング性能が向上する。また、燃焼室の温度が下がるので、吸入効率が向上し高出力が見込める。
【００７３】
図４に示す温間マップでは、負荷率ＫＬ（１）以下では、筒内噴射用インジェクタ１１０のみが用いられる。これは、エンジンの温度が高いときであって、予め定められた低負荷領域では筒内噴射用インジェクタ１１０のみが使用されるということを示す。これは、温間時においてはエンジンが暖まった状態であるので、筒内噴射用インジェクタ１１０の噴口にデポジットが堆積しやすい。しかしながら、筒内噴射用インジェクタ１１０を使って燃料を噴射することにより噴口温度を低下させることができるので、デポジットの堆積を回避することも考えられ、また、筒内噴射用インジェクタの最小燃料噴射量を確保して、筒内噴射用インジェクタ１１０を閉塞させないことも考えられ、このために、筒内噴射用インジェクタ１１０を用いた領域としている。
【００７４】
図４および図５を比較すると、図５の冷間用マップにのみ「ＤＩ比率ｒ＝０％」の領域が存在する。これは、エンジンの温度が低いときであって、予め定められた低負荷領域（ＫＬ（３）以下）では吸気通路噴射用インジェクタ１２０のみが使用されるということを示す。これはエンジンが冷えていてエンジンの負荷が低く吸気量も低いため燃料が霧化しにくい。このような領域においては筒内噴射用インジェクタ１１０による燃料噴射では良好な燃焼が困難であるため、また、特に低負荷および低回転数の領域では筒内噴射用インジェクタ１１０を用いた高出力を必要としないため、筒内噴射用インジェクタ１１０を用いないで、吸気通路噴射用インジェクタ１２０のみを用いる。
【００７５】
また、通常運転時以外の場合、エンジンがアイドル時の触媒暖気時の場合（非通常運転状態であるとき）、成層燃焼を行なうように筒内噴射用インジェクタ１１０が制御される。このような触媒暖気運転中にのみ成層燃焼させることで、触媒暖気を促進させ、排気エミッションの向上を図る。
【００７６】
＜この制御装置が適用されるに適したエンジン（その２）＞
以下、本実施の形態に係る制御装置が適用されるに適したエンジン（その２）について説明する。なお、以下のエンジン（その２）の説明において、エンジン（その１）と同じ説明については、ここでは繰り返さない。
【００７７】
図６および図７を参照して、エンジンの運転状態に対応させた情報である、筒内噴射用インジェクタ１１０と吸気通路噴射用インジェクタ１２０との噴き分け比率を表わすマップについて説明する。これらのマップは、エンジンＥＣＵのＲＯＭに記憶される。図６は、エンジンの温間用マップであって、図７は、エンジンの冷間用マップである。
【００７８】
図６および図７を比較すると、以下の点で図４および図５と異なる。エンジンの回転数が、温間用マップにおいてはＮＥ（１）以上の領域において、冷間用マップにおいてはＮＥ（３）以上の領域において、「ＤＩ比率ｒ＝１００％」である。また、負荷率が、温間用マップにおいては低回転数領域を除くＫＬ（２）以上の領域において、冷間用マップにおいては低回転数領域を除くＫＬ（４）以上の領域において、「ＤＩ比率ｒ＝１００％」である。これは、予め定められた高エンジン回転数領域では筒内噴射用インジェクタ１１０のみが使用されること、予め定められた高エンジン負荷領域では筒内噴射用インジェクタ１１０のみが使用される領域が多いことを示す。しかしながら、低回転数領域の高負荷領域においては、筒内噴射用インジェクタ１１０から噴射された燃料により形成される混合気のミキシングが良好ではなく、燃焼室内の混合気が不均質で燃焼が不安定になる傾向を有する。このため、このような問題が発生しない高回転数領域へ移行するに伴い筒内噴射用インジェクタの噴射比率を増大させるようにしている。また、このような問題が発生する高負荷領域へ移行するに伴い筒内噴射用インジェクタ１１０の噴射比率を減少させるようにしている。これらのＤＩ比率ｒの変化を図６および図７に十字の矢印で示す。このようにすると、燃焼が不安定であることに起因するエンジンの出力トルクの変動を抑制することができる。なお、これらのことは、予め定められた低回転数領域へ移行するに伴い筒内噴射用インジェクタ１１０の噴射比率を減少させることや、予め定められた低負荷領域へ移行するに伴い筒内噴射用インジェクタ１１０の噴射比率を増大させることと、略等価であることを確認的に記載する。また、このような領域（図６および図７で十字の矢印が記載された領域）以外の領域であって筒内噴射用インジェクタ１１０のみで燃料を噴射している領域（高回転側、低負荷側）においては、筒内噴射用インジェクタ１１０のみでも混合気を均質化しやすい。このようにすると、筒内噴射用インジェクタ１１０から噴射された燃料は燃焼室内で気化潜熱を伴い（燃焼室から熱を奪い）気化される。これにより、圧縮端での混合気の温度が下がる。これにより対ノッキング性能が向上する。また、燃焼室の温度が下がるので、吸入効率が向上し高出力が見込める。
【００７９】
なお、図４〜図７を用いて説明したこのエンジンにおいては、均質燃焼は筒内噴射用インジェクタ１１０の燃料噴射タイミングを吸気行程とすることにより、成層燃焼は筒内噴射用インジェクタ１１０の燃料噴射タイミングを圧縮行程とすることにより実現できる。すなわち、筒内噴射用インジェクタ１１０の燃料噴射タイミングを圧縮行程とすることで、点火プラグ周りにリッチ混合気が偏在させることにより燃焼室全体としてはリーンな混合気に着火する成層燃焼を実現することができる。また、筒内噴射用インジェクタ１１０の燃料噴射タイミングを吸気行程としても点火プラグ周りにリッチ混合気を偏在させることができれば、吸気行程噴射であっても成層燃焼を実現できる。
【００８０】
また、ここでいう成層燃焼には、成層燃焼と以下に示す弱成層燃焼の双方を含むものである。弱成層燃焼とは、吸気通路噴射用インジェクタ１２０を吸気行程で燃料噴射して燃焼室全体にリーンで均質な混合気を生成して、さらに筒内噴射用インジェクタ１１０を圧縮行程で燃料噴射して点火プラグ周りにリッチな混合気を生成して、燃焼状態の向上を図るものである。このような弱成層燃焼は触媒暖気時に好ましい。これは、以下の理由による。すなわち、触媒暖気時には高温の燃焼ガスを触媒に到達させるために点火時期を大幅に遅角させ、かつ良好な燃焼状態（アイドル状態）を維持する必要がある。また、ある程度の燃料量を供給する必要がある。これを成層燃焼で行なおうとしても燃料量が少ないという問題があり、これを均質燃焼で行なおうとしても良好な燃焼を維持するために遅角量が成層燃焼に比べて小さいという問題がある。このような観点から、上述した弱成層燃焼を触媒暖気時に用いることが好ましいが、成層燃焼および弱成層燃焼のいずれであっても構わない。
【００８１】
また、図４〜図７を用いて説明したエンジンにおいては、筒内噴射用インジェクタ１１０による燃料噴射のタイミングは、以下のような理由により、圧縮行程で行なうことが好ましい。ただし、上述したエンジンは、基本的な大部分の領域には（触媒暖気時にのみに行なわれる、吸気通路噴射用インジェクタ１２０を吸気行程噴射させ、筒内噴射用インジェクタ１１０を圧縮行程噴射させる弱成層燃焼領域以外を基本的な領域という）、筒内噴射用インジェクタ１１０による燃料噴射のタイミングは、吸気行程である。しかしながら、以下に示す理由があるので、燃焼安定化を目的として一時的に筒内噴射用インジェクタ１１０の燃料噴射タイミングを圧縮行程噴射とするようにしてもよい。
【００８２】
筒内噴射用インジェクタ１１０からの燃料噴射時期を圧縮行程中とすることで、筒内温度がより高い時期において、燃料噴射により混合気が冷却される。冷却効果が高まるので、対ノック性を改善することができる。さらに、筒内噴射用インジェクタ１１０からの燃料噴射時期を圧縮行程中とすると、燃料噴射から点火時期までの時間が短いことから噴霧による気流の強化を実現でき、燃焼速度を上昇させることができる。これらの対ノック性の向上と燃焼速度の上昇とから、燃焼変動を回避して、燃焼安定性を向上させることができる。
【００８３】
さらに、エンジンの温度によらず（すなわち、温間時および冷間時のいずれの場合であっても）、オフアイドル時（アイドルスイッチがオフの場合、アクセルペダルが踏まれている場合）には、図４または図６に示す温間マップを用いるようにしてもよい（冷間温間を問わず、低負荷領域において筒内噴射用インジェクタ１１０を用いる）。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８５】
【図１】本発明の実施の形態に係る制御装置により制御されるガソリンエンジンの燃料供給システムの全体概要図である。
【図２】図１の部分拡大図である。
【図３】エンジンＥＣＵで実行されるプログラムの制御構造を示すフローチャートである。
【図４】本発明の実施の形態に係る制御装置が適用されるに好適なエンジンの温間時のＤＩ比率マップを表わす図（その１）である。
【図５】本発明の実施の形態に係る制御装置が適用されるに好適なエンジンの冷間時のＤＩ比率マップを表わす図（その１）である。
【図６】本発明の実施の形態に係る制御装置が適用されるに好適なエンジンの温間時のＤＩ比率マップを表わす図（その２）である。
【図７】本発明の実施の形態に係る制御装置が適用されるに好適なエンジンの冷間時のＤＩ比率マップを表わす図（その２）である。
【符号の説明】
【００８６】
１０  燃料供給システム、１００  フィードポンプ、１０２  プレッシャーレギュレータ、１１０  筒内噴射用インジェクタ、１１２  高圧デリバリパイプ、１１４  リリーフバルブ、１２０  吸気通路噴射用インジェクタ、１２２  低圧デリバリパイプ、２００  第１の高圧燃料ポンプ、２０２  電磁スピル弁、２０４  リーク機能付きチェックバルブ、２０６  ポンププランジャー、２１０  第１のカム、２２０  第１のパルセーションダンパー、３００  第２の高圧燃料ポンプ、３１０  第２のカム、３２０  第２のパルセーションダンパー、４００  低圧供給パイプ、４１０  第１の低圧デリバリ連通パイプ、４２０  ポンプ供給パイプ、４３０  第２の低圧デリバリ連通パイプ、５００  第１の高圧デリバリ連通パイプ、５１０  第２の高圧デリバリ連通パイプ、５２０  高圧連通パイプ、６００  高圧燃料ポンプリターンパイプ、６１０  高圧デリバリリターンパイプ、６２０，６３０  リターンパイプ。
【図１】
2006329154.tif 000003
【図２】
2006329154.tif 000004
【図３】
2006329154.tif 000005
【図４】
2006329154.tif 000006
【図５】
2006329154.tif 000007
【図６】
2006329154.tif 000008
【図７】
2006329154.tif 000009